(57)【特許請求の範囲】
【請求項１】
つぼめた傘の先端部から柄に至る張布部分を収納できる筒状のハウジングと、該ハウジング内に配設されており、中央に傘を囲繞する環状のエアバッグをハウジング長手方向に複数個分割して配設し、該エアバッグにエアーを給排する機構とからなり、該エアーを給排する機構は濡れ傘がエアバッグ内に挿入されたときに傘を締め付けて水分を絞るためにエアーを供給する手段と、水分を絞った後に傘を開放するためにエアーを排気する手段とを具備するとともに、エアバッグにエアーを給排する機構は濡れ傘がエアバッグ内に挿入されたときに傘を締め付けて水を絞るために、上方のエアバッグより順次エアーを供給する手段を具備していることを特徴とする濡れ傘脱水装置。
【請求項２】
傘を囲繞するエアバックの内側部分の表面を水分吸収部材で被覆したことを特徴とする請求項１に記載の濡れ傘脱水装置。
【請求項３】
複数のエアバックが配置される間隙にノズルを設置すると共に該ノズルに負圧を供給して水分を吸引する手段を設けた請求項１若しくは２に記載の濡れ傘脱水装置。
【発明の詳細な説明】
【０００１】
【発明の属する技術分野】
本発明は濡れ傘を数秒で脱水する装置に関し、特に店舗、駅あるいは各種施設といった大勢の人が出入りする場所の入り口に設置して場内の水濡れ防止に有効な濡れ傘脱水装置に関する。
【０００２】
【従来の技術】
雨の日に傘を使って外から来た人が室内に入ると、濡れた傘から雨の雫が落ち、床を濡らしてしまう。人の出入りの多い店舗のような場所では水浸しになり、体裁が悪いだけでなく転倒して怪我人を出すこともある。そこで、よくポリエチレンやビニール等の袋が用意されているが、これは使い捨てであることが多く、省資源、使用後のごみ処理など環境破壊の観点からも好ましいものではない。従来から、この点を鑑みて濡れ傘にエアーを吹き付けて水分を飛ばしてしまうもの、バキュームで吸引するもの、ブラシにより水分をふき取るもの、温風により乾燥させるもの、振動や遠心力によって脱水を行うもの等種々の方式の脱水装置が案出されているが、いずれのものも脱水機能が十分でなかったり、脱水に時間がかかってしまうなど実用上満足できるものは少なかった。
【０００３】
【発明が解決しようとする課題】
本発明は脱水機能が優れており、短時間で必要な脱水が行える新規な方式の濡れ傘脱水装置を提供することである。
【０００４】
【課題を解決するための手段】
本発明の濡れ傘脱水装置は、つぼめた傘の先端部から柄に至る張布部分を収納できる筒状のハウジングと、該ハウジング内に配設されており、中央に傘を囲繞する環状のエアバッグをハウジング長手方向に複数個分割して配設し、該エアバッグにエアーを給排する機構とからなり、該エアーを給排する機構は濡れ傘がエアバッグ内に挿入されたときに傘を締め付けて水分を絞るためにエアーを供給する手段と、水分を絞った後に傘を開放するためにエアーを排気する手段とを具備するとともに、エアバッグにエアーを給排する機構は濡れ傘がエアバッグ内に挿入されたときに傘を締め付けて水を絞るために、上方のエアバッグより順次エアーを供給する手段を具備していることを特徴とする。
また、本発明の濡れ傘脱水装置は、上記構成に加え傘を囲繞するエアバックの内側部分の表面を水分吸収部材で被覆するようにした。
また、本発明の濡れ傘脱水装置は、上記構成に加え複数のエアバックが配置される間隙にノズルを設置すると共に該ノズルに負圧を供給して水分を吸引する手段を設けるようにした。
【０００５】
【発明の実施の形態】
本発明の発想の原点は従来方式にとらわれず、びしょびしょの濡れ布をいち早く脱水する方法として従来から最も一般的に用いられてきた手絞りという方法を濡れ傘脱水に応用しようということであった。しかし、傘の場合ただの布地と違い傘骨部材に張り付けられた布であるため、手絞りのように捻ることはできないし、単に押圧によって絞ろうとしても傘骨があり水を含んでいる布地全体に均等に押圧力が加わるようにするには何らかの工夫をしなければならない。そこで、本発明は傘骨の存在にもかかわらず、布地に均等に押圧力がかかる手段として被押圧体の形状に追随して変形できるエアバッグ方式に想到した。エアバッグの場合、バッグを構成する可撓膜は注入エアーの圧力によって外方へ変形しようとするが物体の存在によって移動を妨げられるとその部分は移動を停止し、他の自由な部分だけが外方に変形するのであるが、その可撓膜を介して外部に及ぼす圧力は均等であるという性質を利用しようというものである。すなわち、傘骨のある部分のみに圧力がかかることが無く、エアバッグが自在に変形し骨の間の布地にも均等に押圧力を加えることができるのである。
【０００６】
基本的構成は、つぼめた傘の先端部から柄に至る部分までを収納できる筒状のハウジングと、該ハウジング内に配設されており、中央に傘を包み込むことができる環状のエアバッグと、該エアバックに空気を給排する機構とからなる。上記ハウジングは金属、プラスチック若しくは木製等の剛性の材質で作られる。また、上記エアバッグは合成ゴムや天然ゴム、ビニール等の軟質プラスチック、合成皮革といった耐水性の可撓性材料が用いられる。そしてエアバッグへのエアーの供給手段は高圧空気の供給源であれば何でもよいが、一般にはハウジング外部に設置される送風機とパイプ等の管状体で接続されることで実現され、エアーの排気は送風方向を切り換えたり、開放弁を介して大気に開放することによって行う。エアー供給手段は濡れ傘がエアバック内に挿入されたときに傘を締め付けて水分を絞るためにエアーを供給するものであり、エアーを排気する手段は水分を絞った後に傘を開放するためのものであるから、その動作はタイミングを合わせて行わせるようにする必要があり、これを実現する適宜の手段が採用される。
【０００７】
本発明の濡れ傘脱水装置は、このような基本構成を備えるものであって、雨に濡れた傘がハウジング内エアバッグの中に差込まれると、何らかの手段で送風機が作動しバッグへのエアー供給が開始され、つぼめられた傘の外側全体をバッグが包むように押圧する。傘の布地は傘骨にくくられた部分と骨の間の自由な部分、またつぼめた状態では先よりと柄よりの部分では布地の量による太さの違いがあるといった状態に差があるが、この動作によって布地に含まれた水分が布地の位置にかかわりなくほぼ均一に絞り出され、絞られた水はバッグの下方部から流下排水される。水が絞られた後はエアバッグのエアーを適宜の方法で排気し傘を抜き取ることが出来るように開放するものである。傘への押圧力は外側から軸芯に向かって均等にかかるため加圧力が少々高くても傘への歪負荷は生じないので傘をいためることもなく、しっかり水分を絞り取ることができる。
【０００８】
【実施例１】
図１にこの発明の１実施例を示す。図中Ａは通常待機時の状態を示し、Ｂは濡れ傘を挿入する際の状態を示し、Ｃはエアバッグを加圧し水分を絞っている状態を示す図である。また、構成要素１はプラスチック製の円筒状ハウジング、２は合成ゴム又は合成樹脂等で作られた環状のエアバッグ、３は給排気用のパイプ、４は給気用の送風機、５は排気用の電磁弁である。６はスタンド部であり、７は水受タンクで71は排水コックである。Ａに示される待機状態の装置にＢに図示されるように濡れ傘が差込まれ、図示していないスイッチがＯＮされると送風機４が作動し、エアバッグ２にエアーを供給する。エアーが供給されるとＣに図示されているようにエアバッグ２が膨らんで濡れ傘を外側から押圧し、水分を絞り出す。絞り出された水はバッグ下方より流下し水受タンク７に溜められる。この装置の設置場所が水を流してよい場所である場合にはコック71を開放しておきそのまま流出させる。その場に流すことができない場合にはコックの先にホースをつなぐなり固定設置であれば配管を施し、適宜の場所に排水できるようにする。エアーの排気は設定可能なタイマー(図示せず）によって例えば数秒といった適当時間の送風動作の後、送風機４のモータが停止されると共に電磁弁５を開放し加圧エアーを大気中に放出して行う。なお、この排気動作は排気用の電磁弁５を用いず、タイマによって送風機４を停止すると共に送風経路を切り換えて送風機の慣性駆動によりエアーの強制排気を行わせるようにしてもよい。
【０００９】
【実施例２】
図２に示す例は先の実施例の変形で、エアバッグ２の傘を包み込む部分を吸水性を有するスポンジのような水分吸収材８で被覆したものである。エアバッグ２を膨らませ濡れ傘を押圧して水分を絞る際には、図のＢに示されるようにエアバッグはスポンジ８の層を介在圧縮して傘を押圧する。絞り出された水は先の例と同様にエアバッグの下方に流下するが、エアーが排気されバッグが収縮するとそれに伴ってスポンジ８の圧縮が解かれＣに図示するように原形に復帰しようとする。その際、スポンジ８は傘の布地に残留する水分を吸収し保持する。この実施例はエアバッグの押圧により絞り出した水分が完璧にエアバッグ下方に流下するわけではないので、その残留水分をスポンジの吸水作用によってフォローしようというものである。スポンジ８に吸収保持された水分は次回の傘押圧の際に濡れ傘の水分と共にエアバッグ下方に流下される。
【００１０】
【実施例３】
次に示す例は、図３に示すようにエアバッグ２をハウジング１の長手方向すなわち上下方向に複数分割21,22,23‥‥して配置するものである。エアーを供給するパイプ３は一番上方のエアバッグ21に接続されると共に、各隣接するエアバッグ間は圧力開放弁９を介して連通されている。この実施例の特徴はエアバッグ２を膨らませ濡れ傘を押圧して水分を絞る際には、Ａに図示されるようにまず一番上位のエアバッグ21が膨らみ、傘の対応する部分だけを押圧して水分を絞る。絞り出された水は下方のエアバッグの環状間隙を経て流下する。一番上位のエアバッグ21が膨らみ十分な加圧状態になると下位のエアバッグ22との間にある圧力開放弁が開かれ、エアーが上位のエアバッグ21を経て供給されるようになる。するとこのエアバッグ22が膨らみ、傘の対応する部分を押圧して水分を絞り、絞られた水は下方のエアバッグの環状間隙を経て流下する。順次この動作が繰り返されＢに図示されるように一番下のエアバッグまで加圧状態に至る。この動作により、傘に含まれた水分は上方より順次絞り落とされるので、傘全体が同時に絞られる先の例に比べ、傘とエアバッグ間の間隙に残留する水分を少なくし脱水効果を高めることができる。排気の際は各エアバッグ毎に設けられた電磁弁によって大気中に開放される。
【００１１】
【実施例４】
次に示す例は絞り出された水分を吸引排水する手段を設けた例である。図４に示されるように上下に位置する二つのエアバッグ間に吸水ノズル10を配設するものである。各吸水ノズル10はハウジング１外に設置されている気液分離機11を介して吸引ポンプ12に接続されている。濡れ傘が本装置に挿入されスイッチがＯＮされると送風機が作動してエアバッグへのエアーの供給が開始されると共に、吸引ポンプ12も作動し吸引ノズル10は吸引を開始する。この状態で上方のエアバッグより順次濡れ傘を押圧して脱水を行うのであるが、この際絞り出された水分はエアバッグの下方に流下する過程で、一部がこの吸引ノズルから吸引され気液分離機に至り蓄積される。押圧初期のまとまった量の水分は流下によって排水することかできるのであるが、その後さらにエアバッグが加圧され、布地よりしみだした水分はなかなか下方に流下せず残留してしまうものが多い。この実施例はその残留水分をこの吸引ノズルを介して強制的に排除しようとするもので、この残留水分の除去に効果を発揮するものである。
【００１２】
【発明の効果】
本発明は、つぼめた濡れ傘の水分をエアバッグによって外側から軸芯方向に向けて押圧して絞り出す新規の方式の脱水装置であって、傘への押圧力は外側から軸芯に向かって均等にかかるため加圧力が少々高くても傘への歪負荷は生じないので傘をいためることもなく、しっかり水分を絞り取ることができるため脱水機能に優れ、短時間で必要な脱水が達成できるものである。
【００１３】
さらにエアバッグを上下方向に複数に分割配置し、上方のエアバッグより順次エアーを供給して傘の対応部分を順次押圧して絞るような構成を採用することによって、つぼめた傘を上方よりしごきおろす形で絞りをかけるので、絞られた水分の流下排水が効果的に実行できるものである。
【００１４】
また、本発明ではスポンジのような吸水物質を濡れ傘と接触するエアバッグの表面に被覆させたり、上下方向に複数に分割して配置したエアバッグ間に吸水ノズルを配設する構成を採用することによって、エアバッグの押圧により絞り出された水分を布に残留させることなく、効果的に除去することができるものである。
【図面の簡単な説明】
【図１】本発明の１実施例を示す図で、Ａはその全体構成図、Ｂは濡れ傘挿入時の様子を示した図、Ｃは濡れ傘を押圧脱水する様子を示した図である。
【図２】本発明の他の実施例の要部構成を示す図で、Ａは待機時、Ｂは濡れ傘押圧時、Ｃはエアバッグ排気時の様子を示す図である。
【図３】本発明の更なる実施例の動作を示す図で、Ａはエアー供給初期時、Ｂはエアー供給最終時の様子を示す図である。
【図４】本発明の更に異なる実施例の要部構成を示す図で、Ａは待機時、Ｂは濡れ傘押圧時の様子を示す図である。
【符号の説明】
１  ハウジング                  ７  水受タンク
２  エアバッグ                    71  コック
21〜24  分割エアバッグ        ８  水分吸収材
３  給排気パイプ                ９  圧力開放弁
４  送風機                      10  吸水ノズル
５  電磁弁                      11  気液分離器
６  スタンド部                  12  吸引ポンプ
【図１】
0004037980.tif 000002
【図２】
0004037980.tif 000003
【図３】
0004037980.tif 000004
【図４】
0004037980.tif 000005